(57)【要約】【課題】背面液晶表示と電子ビューファイダの情報表示を好適に切り換えることができるようにする。【解決手段】撮像手段と、ファインダ外の表示手段と、ファインダ内表示部に映像を出力する出力手段と、表示される情報の内容または表示態様が異なる複数の表示モードのうち、いずれかの表示モードに切り換える切換操作を受け付ける受付手段と、前記表示モードが、前記撮像手段で撮像されたライブビューを表示する表示モードである場合には、前記切換操作に応じて前記表示手段の表示モードと前記ファインダ内表示部の表示モードとを連動して切り換え、前記表示モードが、前記表示手段におけるライブビューを表示しない表示モードである場合には、前記切換操作に応じて前記ファインダ内表示部の表示モードを前記表示手段の表示モードとは独立して切り換えるように制御する制御手段とを設ける。【選択図】図４
2016054353.tif 000002
【特許請求の範囲】
【請求項１】
撮像手段と、
ファインダ外の表示手段と、
ファインダ内表示部に映像を出力する出力手段と、
表示される情報の内容または表示態様が異なる複数の表示モードのうち、いずれかの表示モードに切り換える切換操作を受け付ける受付手段と、
前記表示モードが、前記撮像手段で撮像されたライブビューを表示する表示モードである場合には、前記切換操作に応じて前記表示手段の表示モードと前記ファインダ内表示部の表示モードとを連動して切り換え、
前記表示モードが、前記表示手段におけるライブビューを表示しない表示モードである場合には、前記切換操作に応じて前記ファインダ内表示部の表示モードを前記表示手段の表示モードとは独立して切り換えるように制御する制御手段と、
を有することを特徴とする撮像装置。
【請求項２】
前記制御手段は、前記表示手段の表示モードと、ファインダ内表示部の表示モードとをそれぞれ設定することを特徴とする請求項１に記載の撮像装置。
【請求項３】
前記制御手段は、前記表示手段の表示モードと、前記ファインダ内表示部の表示モードとをそれぞれ設定するために、変数Ｎ１と変数Ｎ２を管理し、
前記表示モードが、前記表示手段におけるライブビューを表示しない表示モードである場合は、前記変数Ｎ２により、前記ファインダ内表示部の表示モードを設定することを特徴とする請求項１または２に記載の撮像装置。
【請求項４】
前記ファインダ外の表示手段に設定可能な表示モードは３以上あり、ライブビューを表示する表示モードが２以上あることを特徴とする請求項１乃至３の何れか１項に記載の撮像装置。
【請求項５】
前記ファインダ内表示部の複数の表示モードは何れもライブビューを表示する表示モードであることを特徴とする請求項１乃至４の何れか１項に記載の撮像装置。
【請求項６】
前記制御手段は、前記受付手段により受け付けた表示モードの切換操作により前記表示手段の表示を少なくとも
ライブビューを表示する第１の表示モードと、
ライブビューを表示する第２の表示モードと、
ライブビューを表示しない第３の表示モードとのいずれかの表示モードに切り換え、
前記表示手段に第１の表示モードで表示している際に、表示先を前記ファインダ内表示部に切り換えると、前記ファインダ内表示部に第１の表示モードに関連付けられたライブビューを表示する第４の表示モードで表示し、
前記表示手段に第２の表示モードで表示している際に、表示先を前記ファインダ内表示部に切り換えると、前記ファインダ内表示部に第２の表示モードに関連付けられたライブビューを表示する第５の表示モードで表示し、
前記表示手段に第３の表示モードで表示している際に、表示先を前記ファインダ内表示部に切り換えると、前記ファインダ内表示部に第３の表示モードと異なり、ライブビューを表示する第４の表示モードあるいは第５の表示モードを表示するように制御することを特徴とする請求項１乃至５の何れか１項に記載の撮像装置。
【請求項７】
撮像工程と、
ファインダ外の表示手段に表示する表示工程と、
ファインダ内表示部に映像を出力する出力工程と、
表示される情報の内容または表示態様が異なる複数の表示モードのうち、いずれかの表示モードに切り換える切換操作を受け付ける受付工程と、
前記表示工程の表示モードが、前記撮像工程で撮像されたライブビューを表示する表示モードである場合には、前記切換操作に応じて前記表示工程の表示モードと前記ファインダ内表示部の表示モードとを連動して切り換え、
前記表示モードが、前記表示工程におけるライブビューを表示しない表示モードである場合には、前記切換操作に応じて前記ファインダ内表示部の表示モードを前記表示工程の表示モードとは独立して切り換えるように制御する制御工程と、
を有することを特徴とする撮像装置の制御方法。
【請求項８】
コンピュータを、請求項１乃至６の何れか１項に記載された撮像装置の各手段として機能させるためのプログラム。
【請求項９】
コンピュータを、請求項１乃至６の何れか１項に記載された撮像装置の各手段として機能させるためのプログラムを格納したコンピュータが読み取り可能な記憶媒体。
【発明の詳細な説明】
【技術分野】
【０００１】
本発明は撮像装置および撮像装置の制御方法に関し、特に、電子ビューファインダを利用可能な撮像装置に関する。
【背景技術】
【０００２】
近年、デジタルカメラなどの撮像装置において、構図決定を行う際に用いられるファインダとして、撮像装置の背面に配置された液晶表示部（つまり、液晶画面）とは別に電子ビューファインダが内蔵、または外付けできる撮像装置が知られている。電子ビューファインダを用いれば、一眼レフカメラなどの撮像装置に搭載される光学ビューファインダと比べてその光学系を簡素にできるばかりでなく、眼で見たとおりの構図で撮影を行うことができるという利点がある。
【０００３】
さらに、電子ビューファインダを用いれば、撮像装置の背面に配置された背面液晶画面を用いて撮影を行う場合に比べて、明るい場所においても被写体が確認しやすく、撮像装置のホールディング性が向上する。
背面液晶画面にライブビューを伴わない情報表示を行っている場合、撮影動作に応じてライブビューを伴う情報表示に変更する方法が提案されている（特許文献１参照）。
【先行技術文献】
【特許文献】
【０００４】
【特許文献１】特開２０１３−２５５２０３号公報
【発明の概要】
【発明が解決しようとする課題】
【０００５】
背面液晶画面と電子ビューファインダを状況に応じて使い分けるユースケースにおいて、背面液晶画面にライブビューが表示されている場合、電子ビューファインダも同等の情報表示になっていることが好ましい。そこで、背面液晶画面の情報表示を切り換えると同期して電子ビューファインダの情報表示も切り換わることが望まれる。しかしながら、特許文献１のように背面液晶画面にライブビューを伴わない情報表示を行っている場合、電子ビューファインダに同等の表示を行うと構図の確認ができなくなり撮影が困難になる。従って背面液晶画面と電子ビューファインダを状況に応じて使い分けるユースケースの要求を満たすことができない。
本発明は前述の問題点に鑑み、背面液晶表示と電子ビューファインダの情報表示を好適に切り換えることができるようにすることを目的とする。
【課題を解決するための手段】
【０００６】
本発明の撮像装置は、撮像手段と、ファインダ外の表示手段と、ファインダ内表示部に映像を出力する出力手段と、表示される情報の内容または表示態様が異なる複数の表示モードのうち、いずれかの表示モードに切り換える切換操作を受け付ける受付手段と、前記表示モードが、前記撮像手段で撮像されたライブビューを表示する表示モードである場合には、前記切換操作に応じて前記表示手段の表示モードと前記ファインダ内表示部の表示モードとを連動して切り換え、前記表示手段の表示モードが、前記表示手段におけるライブビューを表示しない表示モードである場合には、前記切換操作に応じて前記ファインダ内表示部の表示モードを前記表示手段の表示モードとは独立して切り換えるように制御する制御手段と、を有することを特徴とする。
【発明の効果】
【０００７】
本発明によれば、背面液晶表示と電子ビューファインダの情報表示を好適に切り換えることができる。
【図面の簡単な説明】
【０００８】
【図１】本実施形態を実現するデジタルカメラの構成例を示すブロック図である。
【図２】デジタルカメラの外観を示した図である。
【図３】カメラ起動時の撮影情報表示処理の流れを説明するフローチャートである。
【図４】撮影モードにおける撮影情報表示処理の流れを説明するフローチャートである。
【図５】情報の表示先を判別する処理を説明するフローチャートである。
【図６】画面モードの変更処理を説明するフローチャートである。
【図７】背面液晶画面と電子ビューファインダに表示される情報表示の表示例を示す図である。
【図８】電子ビューファインダに表示される情報表示の表示例を示す図である。
【発明を実施するための形態】
【０００９】
以下にデジタルカメラを例に、カメラ本体の背面液晶画面と電子ビューファインダの情報表示切り換え処理の説明を行う。
図１は、本実施形態に係るデジタルカメラ１００の構成例を示すブロック図である。また、図２はデジタルカメラ１００の外観図である。
【００１０】
図１において、撮影レンズ１０４は、ズームレンズ、フォーカスレンズを含むレンズ群である。シャッター１０５は、絞り機能を備えるシャッターである。撮像部１０６は、光学像を電気信号に変換するＣＣＤやＣＭＯＳ素子等で構成される撮像素子である。Ａ／Ｄ変換器１０７は、アナログ信号をデジタル信号に変換する。Ａ／Ｄ変換器１０７は、撮像部１０６から出力されるアナログ信号をデジタル信号に変換するために用いられる。
【００１１】
バリア１０３は、デジタルカメラ１００の撮影レンズ１０４を含む撮像系を覆うことにより、撮影レンズ１０４、シャッター１０５、撮像部１０６を含む撮像系の汚れや破損を防止する。
【００１２】
画像処理部１０２は、Ａ／Ｄ変換器１０７からのデータ、または、メモリ制御部１０８からのデータに対し所定の画素補間、縮小といったリサイズ処理や色変換処理を行う。また、画像処理部１０２では、撮像した画像データを用いて所定の演算処理が行われ、得られた演算結果に基づいてシステム制御部１０１が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部１０２では更に、撮像した画像データを用いて所定の演算処理を行い、得られた演算結果に基づいてＴＴＬ方式のＡＷＢ（オートホワイトバランス）処理も行っている。
【００１３】
Ａ／Ｄ変換器１０７からの出力データは、画像処理部１０２及びメモリ制御部１０８を介して、或いは、メモリ制御部１０８を介してメモリ１０９に直接書き込まれる。メモリ１０９は、撮像部１０６によって得られＡ／Ｄ変換器１０７によりデジタルデータに変換された画像データや、表示部１１１に表示するための画像データを格納する。メモリ１０９は、所定枚数の静止画像や所定時間の動画像および音声を格納するのに十分な記憶容量を備えている。
【００１４】
また、メモリ１０９は画像表示用のメモリ（ビデオメモリ）を兼ねている。Ｄ／Ａ変換器１１０は、メモリ１０９に格納されている画像表示用のデータをアナログ信号に変換して表示部１１１に供給する。こうして、メモリ１０９に書き込まれた表示用の画像データはＤ／Ａ変換器１１０を介してファインダ外の表示手段である表示部１１１により表示される。
【００１５】
表示部１１１は、ＬＣＤ等の表示器上に、Ｄ／Ａ変換器１１０からのアナログ信号に応じた表示を行う。Ａ／Ｄ変換器１０７によって一度Ａ／Ｄ変換されメモリ１０９に蓄積されたデジタル信号をＤ／Ａ変換器１１０においてアナログ変換し、表示部１１１に逐次転送して表示することで、電子ビューファインダとして機能し、スルー画像表示を行える。
【００１６】
不揮発性メモリ１１４は、電気的に消去・記録可能なメモリであり、例えばＥＥＰＲＯＭ等が用いられる。不揮発性メモリ１１４には、システム制御部１０１の動作用の定数、プログラム等が記憶される。ここでいう、プログラムとは、本実施形態にて後述する各種フローチャートを実行するためのプログラムのことである。
【００１７】
システム制御部１０１は、デジタルカメラ１００全体を制御する。前述した不揮発性メモリ１１４に記録されたプログラムを実行することで、後述する本実施形態の各処理を実現する。１１３はシステムメモリであり、ＲＡＭが用いられる。システムメモリ１１３には、システム制御部１０１の動作用の定数、変数、不揮発性メモリ１１４から読み出したプログラム等を展開する。また、システム制御部１０１はメモリ１０９、Ｄ／Ａ変換器１１０、表示部１１１等を制御することにより表示制御も行う。システムタイマー１１２は各種制御に用いる時間や、内蔵された時計の時間を計測する計時部である。
【００１８】
シャッターボタン１１５、モード切り換えダイヤル１１８、電源ボタン１１９、操作部１２０はシステム制御部１０１に各種の動作指示を入力するための操作手段である。モード切り換えダイヤル１１８は、システム制御部１０１の動作モードを静止画記録モード、動画記録モード、再生モード等のいずれかに切り換える切換操作を行う際に用いられる。
【００１９】
静止画記録モードに含まれるモードとして、オート撮影モード、オートシーン判別モード、マニュアルモード、撮影シーン別の撮影設定となる各種シーンモード、プログラムＡＥモード、カスタムモード等がある。モード切り換えダイヤル１１８で静止画撮影モードに含まれるこれらのモードのいずれかに直接切り換えられる。あるいは、モード切り換えダイヤル１１８で静止画撮影モードに一旦切り換えた後に、静止画撮影モードに含まれるこれらのモードのいずれかに、他の操作部材を用いて切り換えるようにしてもよい。
【００２０】
同様に、動画撮影モードにも複数のモードが含まれていてもよい。第１シャッタースイッチ１１６は、デジタルカメラ１００に設けられたシャッターボタン１１５の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２１】
第２シャッタースイッチ１１７は、シャッターボタン１１５の操作完了、いわゆる全押し（撮影指示）でＯＮとなり、第２シャッタースイッチ信号ＳＷ２を発生する。システム制御部１０１は、第２シャッタースイッチ信号ＳＷ２により、撮像部１０６からの信号読み出しから記録媒体１２４に画像データを書き込むまでの一連の撮影処理の動作を開始する。
【００２２】
電源制御部１２１は、電池検出回路、ＤＣ−ＤＣコンバータ、通電するブロックを切り換えるスイッチ回路等により構成され、電源ボタン１１９の状態、電池の装着の有無、電池の種類、電池残量の検出を行う。また、電源制御部１２１は、その検出結果及びシステム制御部１０１の指示に基づいてＤＣ−ＤＣコンバータを制御し、必要な電圧を必要な期間、記録媒体１２４を含む各部へ供給する。
【００２３】
電源部１２２は、アルカリ電池やリチウム電池等の一次電池やＮｉＣｄ電池やＮｉＭＨ電池、Ｌｉ電池等の二次電池、ＡＣアダプター等からなる。本実施形態では電源部（以下電池と呼ぶ）に二次電池を用いた場合の説明を行う。
【００２４】
記録媒体Ｉ／Ｆ１２３は、メモリカードやハードディスク等の記録媒体１２４とのインターフェースである。記録媒体１２４は、撮影された画像を記録するためのメモリカード等の記録媒体であり、半導体メモリや磁気ディスク等から構成される。
【００２５】
外部機器Ｉ／Ｆ１２５は、無線または有線ケーブルによって外部機器１２６と接続し、映像信号や音声信号の送受信を行う。外部機器Ｉ／Ｆ１２５は無線ＬＡＮ（Ｌｏｃａｌ Ａｒｅａ Ｎｅｔｗｏｒｋ）やインターネットとも接続可能である。外部機器Ｉ／Ｆ１２５は撮像部１０６で撮像した画像（スルー画像を含む）や、記録媒体１２４に記録された画像を送信可能であり、また、外部機器１２６から画像データやその他の各種情報を受信することができる。
【００２６】
アクセサリーシュー１２７は、外部アクセサリの装着を機械的、電気的に行い、外付け電子ビューファインダ１２８や外付けストロボなどが利用可能になる。メモリ１０９に格納されている画像表示用のデータ映像信号はアクセサリーシュー１２７を通して外付け電子ビューファインダ１２８に送信され、Ｄ／Ａコンバータ１２９を通して表示部１３０に表示することができる。
【００２７】
外付け電子ビューファインダ１２８には接眼センサ１３１が備えられており顔の接近を検出することができる。顔の接近を検出することによりユーザが外付け電子ファインダを覗いていると判断することができ、表示部１１１と外付け電子ビューファインダ１２８の切り換えを自動で行うことが可能になる。また、電子ビューファインダ１２８には表示先切り換えボタン１３２も備えられており、接眼センサ１３１を使用しない場合ユーザは表示先を手動で切り換えることができる。
【００２８】
操作部１２０の各操作部材は、表示部１１１に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、図２に示すＭＥＮＵボタン２０１が押されると各種の設定可能なメニュー画面が表示部１１１に表示される。
【００２９】
ユーザは、表示部１１１に表示されたメニュー画面と、上下左右の４方向にボタンを備えた十字ボタン２０２やＳＥＴボタン２０３とを用いて直感的に各種設定を行うことができる。なお、ＳＥＴボタン２０３はＦＵＮＣボタンを兼ねており、撮影待機中にＦＵＮＣボタンが押されると撮影に関する設定画面をライブビュー表示に重畳させて表示部１１１／１３０に表示することができる。ＦＵＮＣとは、デジタルカメラ１００の各種設定を行うためのモードで、複数の選択項目の中からユーザが所望とする項目を選択し、その項目に関する機能を設定するためのモードである。
【００３０】
コントローラホイール２０４は、操作部１２０に含まれる回転操作可能な操作部材であり、方向ボタンと共に選択項目を指示する際などに使用される。コントローラホイール２０４を回転操作すると、操作量に応じて電気的なパルス信号が発生し、このパルス信号に基づいてシステム制御部１０１はデジタルカメラ１００の各部を制御する。このパルス信号によって、コントローラホイール２０４が回転操作された角度や、何回転したかなどを判定することができる。
【００３１】
なお、コントローラホイール２０４は回転操作が検出できる操作部材であればどのようなものでもよい。例えば、ユーザの回転操作に応じてコントローラホイール２０４自体が回転してパルス信号を発生するダイヤル操作部材であってもよい。また、タッチセンサよりなる操作部材で、コントローラホイール２０４自体は回転せず、コントローラホイール２０４上でのユーザの指の回転動作などを検出するものであってもよい（いわゆる、タッチホイール）。情報表示切り換えボタン２０５は表示部１１１／１３０に表示される複数の情報表示モードを切り換えるためのボタンである。この情報表示切り換え処理については詳細を後述する。
【００３２】
底面からは電池１２２と記録媒体１２４をデジタルカメラ１００に挿入でき、開閉可能なカバー２０６で蓋をすることができる。さらに、側面には外部機器と有線接続するためのコネクタ２０７が備えられている。
なお、本実施形態では以下、表示部１１１（カメラ本体の背面液晶画面）をＬＣＤ、外付け電子ビューファインダ１２８の表示部１３０を、ファインダ内表示部ＥＶＦと呼ぶ。また、本実施形態の説明には、外付け電子ビューファインダを用いているが、カメラ本体に内蔵された電子ビューファインダであってもかまわない。
【００３３】
次に、ＬＣＤとＥＶＦに表示される情報表示モードの切り換え処理について説明する。
図７は、ＬＣＤとＥＶＦの表示モードの画面表示例を示したものである。本発明において、ＬＣＤに設定可能な表示モードは少なくとも３以上あり、ライブビューを表示する表示モードは少なくとも２以上あり、図７では情報表示モードは１〜４の４種類、ライブビュー表示モードは１〜３の３種類がある例を示している。
【００３４】
７０１はＬＣＤに表示される情報表示モード１の画面例である。ライブビュー画像に重畳され撮影設定状態を示すアイコンとＡＦ枠が表示される。７０２はＬＣＤに表示される情報表示モード２の画面例である。情報表示モード１の情報に加え、ヒストグラム、グリッドライン、水準器が表示され、さらに、厳密な撮影のために使用する詳細情報が表示される。
【００３５】
７０３はＬＣＤに表示される情報表示モード３の画面例である。ＡＦ枠以外の表示が非表示となりライブビュー画像の確認に最適な表示となる。７０４はＬＣＤに表示される情報表示モード４の画面例である。ライブビュー表示を伴わない情報表示であり、ライブビューを伴う情報表示画面に比べ撮影情報が大きく表示される。また、この画面では設定の変更も可能となっている。外付け電子ビューファインダで構図の確認と撮影、ＬＣＤで設定の確認や設定の変更を行うといった一眼レフカメラと同様の操作感を実現するのに適した情報表示モードである。情報表示モード切り換えボタン２０５を押す度に切換操作を受付けて、情報表示モード１〜４をトグルで順に切り換えることができる。
【００３６】
７０５はＥＶＦに表示される情報表示モード１の画面例である。表示内容はＬＣＤに表示される情報表示モード１の内容に準じている。７０６はＥＶＦに表示される情報表示モード２の画面表示例である。表示内容はＬＣＤに表示される情報表示モード２の内容に準じている。７０７はＥＶＦに表示される情報表示モード３の画面表示例である。表示内容はＬＣＤに表示される情報表示モード３の内容に準じている。なお、ＥＶＦに表示される情報表示にライブビュー表示を伴わない情報表示モード４は存在せず、ＥＶＦを覗いた状態で情報表示切り換えボタンを押すと情報表示モード１〜３をトグルで順に切り換えることができる。
【００３７】
画像の表示先はＬＣＤとＥＶＦのいずれかであり、メニューから設定できる「表示先設定」がオートの状態、すなわち接眼センサ１３１を使用する状態であれば電子ビューファインダ１２８に装着された接眼センサ１３１の検出結果によって自動的に切り換わる。また、「表示先設定」がマニュアルのときは表示先切り換えボタン１３２を押すことによってＬＣＤとＥＶＦの表示をユーザが手動で切り換えることができる。
【００３８】
情報表示モード１−１と１−２、情報表示モード２−１と２−２、情報表示モード３−１と３−２はそれぞれ関連付けられているため、ＬＣＤもしくはＥＶＦの情報表示モードの一方が変更されたら連動して他方の表示モードも関連付けられたものに変更される。また、本実施形態では情報表示モード１−１と１−２のように関連付けられた表示内容は表示部の解像度の違いのみで、表示された情報そのものは同じものである場合の説明をしている。本発明は同一の情報表示モードで関連付けられた表示内容が異なる内容であってもよい。また、本実施形態では表示先がＬＣＤとＥＶＦのどちらか一方のみの場合で説明を行っているが、同時に表示されるシステムにも適用される。
【００３９】
図８は、ＥＶＦの表示モードの画面表示例を示したものである。この表示モードは、ＬＣＤが情報表示モード４の状態のとき、すなわちＬＣＤにライブビューを伴わない情報表示がなされているときのみＥＶＦに表示される表示モードである。情報表示モードは１〜３（８０１〜８０３）があり、それぞれ図７における情報表示モード１−２〜３−２（７０５〜７０７）と同じである。
【００４０】
図７におけるＥＶＦの情報表示モード１−２〜３−２（７０５〜７０７）は、ＬＣＤの情報表示モード１−１〜３−１（７０１〜７０３）と互いに関連付けられて設定されるのに対して、図８の情報表示モード１−１〜３−１（８０１〜８０３）は独立で設定される。これによって、ＬＣＤで情報表示モード４を表示しているときに表示されるＥＶＦの表示（情報表示モード１〜３）を任意に選ぶことができ、さらにこの組み合わせを記憶させることが可能となる。
【００４１】
次に、ＬＣＤとＥＶＦに表示される情報表示モードの切り換えについて詳細なプログラムの処理を、図３〜図６のフローチャートを用いて説明する。なお、本実施形態に記述されている画面モードとは、ＬＣＤやＥＶＦに表示される情報のグループを示し、ここでは撮影待機、ＭＥＮＵ、ＦＵＮＣの３種類の説明を行う。実際にはその他のモードも存在するが本発明の説明には係わらないため説明は省略する。図３〜図６のフローチャートは、不揮発性メモリ１１４に記録されたプログラムをシステムメモリ１１３に展開し、システム制御部１０１が実行することにより実現する。
【００４２】
図３は、カメラ起動時の表示処理の流れを説明するフローチャートである。
Ｓ３０１で、システム制御部１０１は、不揮発性メモリ１１４に記憶されている現在の情報表示モードを取得し、システムメモリ１１３に記録されて管理されている変数Ｎ１に代入する。
【００４３】
次に、Ｓ３０２で、システム制御部１０１は、画面モードを撮影待機に設定する。次いで、Ｓ３０３で、システム制御部１０１は、表示先がＬＣＤかＥＶＦかを判別する表示先判別処理を実行する。この処理に関して詳細の説明は後述の図５で行う。次に、Ｓ３０４で表示先がＬＣＤであると判別された場合、Ｓ３０５で、システム制御部１０１は、ＬＣＤの表示をＮ１の状態に更新する（７０１〜７０４）。
【００４４】
また、表示先がＥＶＦと判別された場合で、かつ、Ｓ３０６で情報表示モードが４でない場合、Ｓ３０７で、システム制御部１０１は、ＥＶＦの表示をＮ１の状態に更新する（７０５〜７０７）。また、Ｓ３０６で情報表示モードが４であった場合、Ｓ３０８で、システム制御部１０１は、不揮発性メモリ１１４に記憶されている現在のＥＶＦの情報表示モード（図８に示される情報表示モード）を取得する。そして、システムメモリ１１３に記録されている変数Ｎ２に代入する。さらに、Ｓ３０９で、システム制御部１０１は、ＥＶＦの表示をＮ２の値に更新する（８０１〜８０３）。
ＬＣＤ、またはＥＶＦの表示が更新されたら撮影モード処理へ遷移する。
【００４５】
図４は、撮影モードの情報表示処理を説明するフローチャートである。撮影モードの待機状態では外部からの変更指示の入力待ちを行うループ処理をしている。外付け電子ビューファインダの表示先切り換えボタン１３２が押されたことの判定（Ｓ４０１）、接眼センサ１３１の検出結果が変化したことの判定（Ｓ４０２）、ＥＶＦの装着状態が変化したことの判定（Ｓ４０３）が行なわれる。さらに、画面モードが撮影待機である場合（Ｓ４０４）の撮影動作が行われたかの判定（Ｓ４０５）、情報表示モード切り換えボタンが押されたことの判定（Ｓ４０６）、画面モードの切り換え指示があるかの判定（Ｓ４０７）が行われる。
【００４６】
Ｓ４０１で、表示先変更ボタンが押された場合、Ｓ４１１で、システム制御部１０１は、表示先設定がマニュアルであるかオートであるかを判別する。表示先設定がオートの場合、表示先変更ボタンは無効になるため何も処理をせずにループ処理に戻る。表示先設定がマニュアルになっている場合の処理は、接眼状態の変化が発生した場合（Ｓ４０２）の処理とＥＶＦの装着状態に変化が発生した場合（Ｓ４０３）の処理と共通になっている。
【００４７】
Ｓ４２１で、システム制御部１０１は、表示先判別処理を行い、表示先がＬＣＤかＥＶＦかを判別する。この処理の詳細に関しては図５を用いて後述する。現在の画面モードがＭＥＮＵであった場合はＭＥＮＵ画面の更新処理を行う。Ｓ４２６で、出力先がＬＣＤであった場合は、システム制御部１０１は、Ｓ４２７において、ＬＣＤをＭＥＮＵ画面表示に更新し、出力先がＥＶＦであった場合は、Ｓ４２８において、ＥＶＦをＭＥＮＵ画面に更新する。
【００４８】
同様に、Ｓ４２３の判別で、現在の画面モードがＦＵＮＣであった場合は、ＦＵＮＣ画面の更新処理を行う。Ｓ４２９で、出力先がＬＣＤであった場合は、システム制御部１０１は、Ｓ４３０において、ＬＣＤをＦＵＮＣ画面表示に更新し、出力先がＥＶＦであった場合は、Ｓ４３１において、ＥＶＦをＦＵＮＣ画面に更新する。
【００４９】
Ｓ４２４で、画面モードが撮影待機で、表示先がＬＣＤであった場合、Ｓ４２５において、システム制御部１０１は、ＬＣＤの表示を情報表示モード変数Ｎ１の状態に更新する（７０１〜７０４）。また、表示先がＥＶＦであった場合、Ｓ４３２において、システム制御部１０１は、Ｎ１の状態を判別し、情報表示モードが４か否かを判別する。情報表示モードが４以外であればＳ４３３において、システム制御部１０１は、ＥＶＦの表示をＮ１の状態に更新し（７０５〜７０７）、情報表示モードが４であれば、Ｓ４３４において、ＥＶＦの表示をＮ２の値に更新する（８０１〜８０３）。各画面の更新処理が終わったら撮影モードの処理ループに戻る。
【００５０】
Ｓ４０４の判定で、画面モードが撮影待機中の場合、Ｓ４０５において、システム制御部１０１は、撮影動作か否かを判断する。シャッター半押し１１６、全押し１１７操作が行われたら、Ｓ４４１において、撮影処理のシーケンスが実行される。撮影処理シーケンスではＡＦ、ＡＥ、撮像、画像処理などの撮像処理やデータを記録媒体１２４に書き込む処理などが行われる。一連の処理が終了したら撮影モードの処理ループに戻る。
【００５１】
以下、Ｓ４０６において、表示モードの切り換え指示を監視し、撮影待機中に表示モード切り換えボタンが押された場合の画面表示更新処理について説明する。
撮影待機中に表示モード切り換えボタンが押された場合、Ｓ４５１において、システム制御部１０１は、表示先がＬＣＤに設定されているか判断する。表示先がＬＣＤに設定されている場合はＳ４５２において、システム制御部１０１は、情報表示モードが４か否かを判断する。情報表示モードが４以外のとき、Ｓ４５３に進んでＮ１の値をインクリメントし、情報表示モードが４のときは、Ｓ４５４において、Ｎ１の値を１に戻す。Ｎ１の値が操作されたら、Ｓ４５５において、システム制御部１０１は、Ｎ１の値を不揮発性メモリ１１４に記憶し、カメラの電源が切られても現在の情報表示モードを記憶するようにする。そして、Ｓ４５６において、システム制御部１０１は、ＬＣＤの表示をＮ１の状態に更新する（７０１〜７０４）。
【００５２】
Ｓ４５１において、表示先がＥＶＦであった場合、Ｓ４５７において、システム制御部１０１は、Ｎ１の値が４か否かを判断する。Ｎ１の値が４以外の場合はＳ４５８に進んで、Ｎ１の値が３か否かを判断する。Ｎ１の値が３以外の場合は、Ｓ４５９において、システム制御部１０１は、Ｎ１の値をインクリメントする。また、Ｎ１の値が３のときは、Ｓ４６０において、システム制御部１０１はＮ１の値を１に戻す。それぞれ、Ｎ１の値が操作されたら、Ｓ４６１において、システム制御部１０１は、値を不揮発性メモリ１１４に記憶し、その後、Ｓ４６２において、ＥＶＦの表示をＮ１の状態に更新する（７０５〜７０７）。
【００５３】
Ｓ４５７において、Ｎ１が４のとき、すなわち、ライブビューを伴わない情報表示のときは、ＥＶＦにはＮ２に記憶されているＮ１とは別の情報表示モードで表示を更新する。Ｓ４５７においてＮ１が４の場合はＳ４６３において、システム制御部１０１は、Ｎ２が３か否かを判定する。Ｎ２が３でない場合は、Ｓ４６４において、システム制御部１０１は、Ｎ２の値をインクリメントする。Ｎ２の値が３のときはＳ４６５において、システム制御部１０１は、Ｎ２の値を１に戻す。それぞれ、Ｎ２の値が操作されたらＳ４６６において、システム制御部１０１は、値を不揮発性メモリ１１４に記憶し、その後、Ｓ４６７において、ＥＶＦの表示をＮ２の状態に更新する（８０１〜８０３）。画面の更新が完了したら撮影モードのループ処理に戻る。
【００５４】
画面モードが撮影待機以外、すなわち、Ｓ４０４の判定でＭＥＮＵかＦＵＮＣの場合、もしくはＳ４０６の判定で画面モードが撮影待機で情報表示モードの切り換え指示がない場合はＳ４０７に進む。Ｓ４０７において、システム制御部１０１は、画面モードの切り換え指示が行われるか判別する。画面モードの切り換え指示がされた場合は、Ｓ４７１において、システム制御部１０１は、画面モードの変更処理を行う。この処理に関しては図６を用いて後述する。
画面モードの切り換え指示がなければ撮影モードの処理ループへ戻る。
【００５５】
次に、前述の表示先判別処理について、図５のフローチャートを用いて説明する。
Ｓ５０１において、システム制御部１０１は、ＥＶＦの装着状態を判別する。ＥＶＦが装着されていればＳ５０２において、システム制御部１０１は、表示先設定を判別する。表示先設定がマニュアルになっていれば、Ｓ５０３において、システム制御部１０１は、表示先切り換えボタン１３３の状態を確認し表示先がＬＣＤであるか判別する。表示先がＬＣＤであれば引き続きＬＣＤへの表示出力設定処理を行い、ＥＶＦであった場合はＳ５０９において、表示先をＥＶＦに設定する。
【００５６】
Ｓ５０２の判別の結果、表示先設定がオートになっていた場合は、Ｓ５０４において、システム制御部１０１は、接眼センサ１３１の接眼検知状態を判別し、接眼されていれば、Ｓ５０９において、表示先をＥＶＦに設定する。
Ｓ５０１の判別の結果、ＥＶＦが非装着の場合、またはＳ５０４の判別の結果、接眼検知されていない場合、Ｓ５０５において、システム制御部１０１は、画面モードがＦＵＮＣであるかを判別する。
【００５７】
ＦＵＮＣ画面はライブビューが表示されているときにのみ表示されるため表示先が切り換わった時にライブビューを伴わない表示態様に変更されたときはＦＵＮＣ状態から撮影待機状態に戻る必要がある。Ｓ５０６において、画面モードがＦＵＮＣであった場合は、システム制御部１０１は、情報表示モードＮ１の値が４であるかを判別し、Ｎ１の値が４であった場合はＳ５０７において、画面モードを撮影待機に設定する。また、表示先がＬＣＤであった場合は、前述の処理を行った後に、Ｓ５０８において、システム制御部１０１は、表示先をＬＣＤに設定して、表示先判別処理を終了する。
【００５８】
次に、図６のフローチャートを用いて画面モード変更処理について説明する。
Ｓ６０１において、システム制御部１０１は、ＭＥＮＵボタン２０１が押されたか否かを判定する。ＭＥＮＵ切り換え指示があった場合、Ｓ６１１において、システム制御部１０１は、既に画面モードがＭＥＮＵかどうかを判別し、ＭＥＮＵモードでなければＳ６１２において、システム制御部１０１は、画面モードをＭＥＮＵに設定する。さらに、Ｓ６１３において、システム制御部１０１は、表示先を判別し、表示先がＬＣＤであればＳ６１４において、ＬＣＤの表示をＭＥＮＵ画面に更新し、ＥＶＦであったらＳ６１５において、ＥＶＦの表示をＭＥＮＵ画面に更新する。
【００５９】
ＦＵＮＣボタン（２０３）が押された場合も同様の処理となる。
Ｓ６０２において、システム制御部１０１は、ＦＵＮＣボタン（２０３）が押されたかどうかを判定する。ＦＵＮＣ切り換え指示があった場合、Ｓ６２１において、システム制御部１０１は、既に画面モードがＦＵＮＣかどうかを判別し、ＦＵＮＣモードでなければ、Ｓ６２２において、画面モードをＦＵＮＣに設定する。さらに、Ｓ６２３において、システム制御部１０１は、表示先を判別し、表示先がＬＣＤであれば、Ｓ６２４において、ＬＣＤの表示をＦＵＮＣ画面に更新し、ＥＶＦであったらＳ６２５において、ＥＶＦの表示をＦＵＮＣ画面に更新する。
【００６０】
Ｓ６０１およびＳ６０２においてＭＥＮＵ、ＦＵＮＣのボタン切り換え指示があったとき、それぞれ既にＭＥＮＵ状態、ＦＵＮＣ状態であれば（Ｓ６１１、Ｓ６２１）、Ｓ６３１において、画面モードを終了させて画面モードを撮影待機に設定する。次に、Ｓ６３２において表示先がＬＣＤか否かを判断し、表示先がＬＣＤであった場合は、Ｓ６３３において、システム制御部１０１は、ＬＣＤの表示をＮ１の状態に更新する（７０１〜７０４）。表示先がＥＶＦであった場合は、Ｓ６３４において、情報表示モードＮ１が４であるか判断し、情報表示モードＮ１が４以外であれば、Ｓ６３５において、ＥＶＦの表示をＮ１の状態に更新する（７０５〜７０７）。Ｎ１が４であった場合は、Ｓ６３６において、ＥＶＦの表示をＮ２の状態に更新する（８０１〜８０３）。
【００６１】
以上説明した実施の形態によれば、背面液晶画面がライブビューを伴う情報表示の場合、情報表示の切り替えを連動させ、背面液晶画面と電子ビューファインダに同等の表示を行う。また、背面液晶画面がライブビューを伴わない情報表示の場合は、情報表示の切り替えは連動させず、電子ビューファインダにライブビューが表示される情報表示を行うようにした。これにより、背面液晶画面がライブビューを伴わない情報表示の場合においても、電子ビューファインダで撮影構図の確認ができる。また、背面液晶画面の表示態様の切り替えに応じて、電子ビューファインダの情報表示の切り換えが自動で行われるため、ユーザの手間が少なくなる効果がある。
このように、本発明の実施の形態では、ＬＣＤとＥＶＦの情報表示を好適な状態に切り換えることによりデジタルカメラの操作感を向上させることができる。
【００６２】
なお、システム制御部１０１による制御は１つのハードウェアが行ってもよいし、複数のハードウェアが処理を分担することで、装置全体の制御を行ってもよい。また、本発明をその好適な実施形態に基づいて詳述してきたが、本発明はこれら特定の実施形態に限られるものではなく、この発明の要旨を逸脱しない範囲の様々な形態も本発明に含まれる。
【００６３】
また、前述した実施形態においては、本発明をデジタルカメラなどの撮像装置に適用した場合を例にして説明したが、これはこの例に限定されない。例えば、撮像部を備えて、当該撮像部で得られた画像を内蔵、または外付の電子ファインダに表示する電子機器であれば適用可能である。すなわち、本発明は、撮像部を備えるパーソナルコンピュータやＰＤＡ、および携帯電話端末などに適用可能である。
【００６４】
（その他の実施形態）
本発明は、前述の実施形態の１以上の機能を実現するプログラムを、ネットワークまたはコンピュータ読み取り可能な記憶媒体を介してシステムまたは装置に供給する。そして、そのシステムまたは装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００６５】
１００  デジタルカメラ
１０１  システム制御部
１０２  画像処理部
１０６  撮像部
１０８  メモリ制御部
１１１  ファインダ外の表示部
１２７  アクセサリーシュー
１２８  電子ビューファインダ
１３０  表示部
１３１  接眼センサ
１３２  表示先切り換えボタン
【図１】
2016054353.tif 000003
【図２】
2016054353.tif 000004
【図３】
2016054353.tif 000005
【図４】
2016054353.tif 000006
【図５】
2016054353.tif 000007
【図６】
2016054353.tif 000008
【図７】
2016054353.tif 000009
【図８】
2016054353.tif 000010